(57)【要約】      （修正有）【課題】容易な方法で確実に壁つなぎ材を設置することができる壁つなぎ支持部材を提供する。【解決手段】壁つなぎ支持部材２は、仮設足場１を構成する建物側の支柱１１間に設置され、壁つなぎ材３の仮設足場側端部が設置される直線状の本体部と、本体部の一端に形成される第１の挟持部と、本体部のうち第１の挟持部が形成されている側とは反対側の端部に形成される第２の挟持部と、第１のくさびと、第２のくさびと、を備え、第１のくさびは、第１の挟持部が支柱を挟み込んだ状態で第１の挟持部の開放端側所定位置に予め形成された貫通孔に打ち込まれることで、第１の挟持部と共に支柱を囲って固定し、第２のくさびは、第２の挟持部が支柱を挟み込んだ状態で第２の挟持部の開放端側所定位置に予め設けられた貫通孔に打ち込まれることで、第２の挟持部と共に支柱を囲って固定する。【選択図】図１
0003211768.tif 000002
【実用新案登録請求の範囲】
【請求項１】
支柱間を連結する梁間に足場板を架け渡すことで形成された仮設足場と建物の胴縁とを固定する壁つなぎ材の仮設足場側端部が設置される壁つなぎ支持部材であって、
前記仮設足場を構成する建物側の前記支柱間に設置され、前記壁つなぎ材の仮設足場側端部が設置される直線状の本体部と、
前記本体部の一端に形成される第１の挟持部と、
前記本体部のうち前記第１の挟持部が形成されている側とは反対側の端部に形成される第２の挟持部と、
第１のくさびと、
第２のくさびと、
を備え、
前記第１のくさびは、前記第１の挟持部が前記支柱を挟み込んだ状態で当該第１の挟持部の開放端側所定位置に予め形成された貫通孔に打ち込まれることで、当該第１のくさびと前記第１の挟持部とにより前記支柱を囲って固定し、
前記第２のくさびは、前記第２の挟持部が前記支柱を挟み込んだ状態で当該第２の挟持部の開放端側所定位置に予め設けられた貫通孔に打ち込まれることで、当該第２のくさびと前記第２の挟持部とにより前記支柱を囲って固定する
壁つなぎ支持部材。
【請求項２】
請求項１に記載の壁つなぎ支持部材であって、
前記第１の挟持部は、前記本体部に対して回転可能に軸支されており、
前記第２の挟持部は、前記本体部に溶接固定されている
壁つなぎ支持部材。
【請求項３】
請求項２に記載の壁つなぎ支持部材であって、
前記本体部のうちの前記第１の挟持部側端部下方には、前記第１の挟持部と当接して、当該第１の挟持部の下方への回転を防止するストッパーが形成されている
壁つなぎ支持部材。
【請求項４】
請求項１乃至３のいずれかに記載の壁つなぎ支持部材であって、
前記第１のくさびは略三角形状に形成されており、当該略三角形状の頂点には、前記第１のくさびを前記第１の挟持部に打ち込んだ状態で前記第１のくさびが前記第１の挟持部から抜けることを防止する凸部が形成されており、
前記第２のくさびは略三角形状に形成されており、当該略三角形状の頂点には、前記第２のくさびを前記第２の挟持部に打ち込んだ状態で前記第２のくさびが前記第２の挟持部から抜けることを防止する凸部が形成されている
壁つなぎ支持部材。
【考案の詳細な説明】
【技術分野】
【０００１】
本考案は、建物と仮設足場とを固定する壁つなぎ材を仮設足場に設置する際に用いる壁つなぎ支持部材に関し、特に仮設足場に対して容易に設置可能な壁つなぎ支持部材に関する。
【背景技術】
【０００２】
仮設足場の倒壊などを防止するため、仮設足場と建物の胴縁とを壁つなぎ材を用いて固定することがある。
【０００３】
このような壁つなぎ材に関する技術として、例えば、特許文献１がある。特許文献１には、足場（仮設足場）に設けられ、仮設足場を建物に固定するための壁つなぎ（壁つなぎ材）を支持する壁つなぎ支持部材が記載されている。特許文献１によると、壁つなぎ支持部材は、上下方向に延びるパイプ状に形成され、上下方向の任意の位置に壁つなぎ材の仮設足場側の一端が取り付けられる本体部と、本体部の下端に設けられ、仮設足場の隣接する支柱間に架け渡される第１水平材に固定されるクランプ部と、本体分の上端に設けられ、第１水平部材の上方に設けられる第２水平部材に引っ掛けられるフック部と、を備えている。このような構成により、壁つなぎ材の仮設足場側の一端が取り付けられる位置を例えば上下方向に自由に調整することが可能となる。
【０００４】
また、同様に壁つなぎ材に関する技術として、例えば、特許文献２がある。特許文献２には、壁つなぎ固定具と水平材（壁つなぎ支持部材）とを備える壁つなぎ取付構造が記載されている。特許文献２によると、水平材は、水平方向に延びるパイプ状に形成され、水平方向の任意の位置に壁つなぎ（壁つなぎ材）の後端側が取り付けられる本体部と、本体部の両端にそれぞれ設けられ、固定部材の高さに合うように高さ位置が調整され、仮設足場の隣接する支柱にそれぞれ固定される一対のクランプ部と、を有している。このような構成により、外壁パネル間の縦目地のどの位置でも屋外側から壁つなぎ材を容易に取り付けすることが可能となる。
【先行技術文献】
【特許文献】
【０００５】
【特許文献１】特開２０１６−２９２３０号公報
【特許文献２】特開２０１６−５６６３９号公報
【考案の概要】
【考案が解決しようとする課題】
【０００６】
一般的に、壁つなぎ材の建物側端部は建物の胴縁に設置され、壁つなぎ材の仮設足場側端部は仮設足場の支柱に設置される。ここで、胴縁には、縦胴縁と横胴縁とがある。建物の胴縁が横胴縁である場合、建物の横方向に胴縁（横胴縁）が横断しているため、壁つなぎ材の仮設足場側端部を仮設足場の支柱に設置した状態で壁つなぎ材の建物側端部を容易に横胴縁に設置することが出来る。一方、建物の胴縁が縦胴縁である場合、縦胴縁の位置と仮設足場の支柱の位置とが一致していないと、壁つなぎ材の仮設足場側端部を仮設足場の支柱に設置した状態で壁つなぎ材の建物側端部を縦胴縁に設置することが出来ないことになる。このように、建物の胴縁が縦胴縁である場合、仮設足場の設置位置などによっては壁つなぎ材を設置することが難しいおそれがある、という問題があった。
【０００７】
また、特許文献１に記載されている技術の場合、仮設足場に２つの水平部材が設けられていることが前提となる。そのため、仮設足場に２つの水平部材が設けられていない場合や２つの水平部材の位置関係などによっては、特許文献１に記載されている技術を採用することが出来なかった。その結果、建物の胴縁が縦胴縁である場合などにおいて、壁つなぎ材を設置することが難しいおそれがある、という問題が依然として残っていた。
【０００８】
また、特許文献１に記載されている壁つなぎ支持部材はフック部とクランプ部とで仮設足場に固定されており、特許文献２に記載されている水平材は、一対のクランプ部で仮設足場に固定されている。このように、特許文献１、２に記載されている技術では、ともに、クランプ部により壁つなぎ支持部材を仮設足場に固定している。このような構成のため、特許文献１、２に記載されている技術の場合、壁つなぎ支持部材を仮設足場に固定する際にねじなどを締めることが必要となり設置に非常に手間がかかる、という問題が生じていた。換言すると、特許文献１、２に記載されている技術では、容易に壁つなぎ材を設置することが難しい、という問題が生じていた。
【０００９】
以上のように、例えば建物の胴縁が縦胴縁である場合であっても、容易な方法で確実に壁つなぎ材を設置することが難しい、という問題が生じていた。
【００１０】
そこで、本考案の目的は、容易な方法で確実に壁つなぎ材を設置することが難しい、という問題を解決することが出来る壁つなぎ支持部材を提供することにある。
【課題を解決するための手段】
【００１１】
本考案の一形態である壁つなぎ支持部材は、
支柱間を連結する梁間に足場板を架け渡すことで形成された仮設足場と建物の胴縁とを固定する壁つなぎ材の仮設足場側端部が設置される壁つなぎ支持部材であって、
前記仮設足場を構成する建物側の前記支柱間に設置され、前記壁つなぎ材の仮設足場側端部が設置される直線状の本体部と、
前記本体部の一端に形成される第１の挟持部と、
前記本体部のうち前記第１の挟持部が形成されている側とは反対側の端部に形成される第２の挟持部と、
第１のくさびと、
第２のくさびと、
を備え、
前記第１のくさびは、前記第１の挟持部が前記支柱を挟み込んだ状態で当該第１の挟持部の開放端側所定位置に予め形成された貫通孔に打ち込まれることで、当該第１のくさびと前記第１の挟持部とにより前記支柱を囲って固定し、
前記第２のくさびは、前記第２の挟持部が前記支柱を挟み込んだ状態で当該第２の挟持部の開放端側所定位置に予め設けられた貫通孔に打ち込まれることで、当該第２のくさびと前記第２の挟持部とにより前記支柱を囲って固定する
という構成をとる。
【００１２】
また、上記壁つなぎ支持部材では、
前記第１の挟持部は、前記本体部に対して回転可能に軸支されており、
前記第２の挟持部は、前記本体部に溶接固定されている
という構成をとる。
【００１３】
また、上記壁つなぎ支持部材では、
前記本体部のうちの前記第１の挟持部側端部下方には、前記第１の挟持部と当接して、当該第１の挟持部の下方への回転を防止するストッパーが形成されている
という構成をとる。
【００１４】
また、上記壁つなぎ支持部材では、
前記第１のくさびは略三角形状に形成されており、当該略三角形状の頂点には、前記第１のくさびを前記第１の挟持部に打ち込んだ状態で前記第１のくさびが前記第１の挟持部から抜けることを防止する凸部が形成されており、
前記第２のくさびは略三角形状に形成されており、当該略三角形状の頂点には、前記第２のくさびを前記第２の挟持部に打ち込んだ状態で前記第２のくさびが前記第２の挟持部から抜けることを防止する凸部が形成されている
という構成をとる。
【考案の効果】
【００１５】
本考案は、以上のように構成されることにより、容易な方法で確実に壁つなぎ材を設置することが難しい、という問題を解決することが出来る壁つなぎ支持部材を提供することが出来る。
【図面の簡単な説明】
【００１６】
【図１】本考案の第１の実施形態に係る壁つなぎ支持部材の使用状態の一例を説明するための斜視図である。
【図２】図１で示す壁つなぎ支持部材の構成の一例を示す平面図である。
【図３】図１で示す壁つなぎ支持部材の構成の一例を示す正面図である。
【図４】図１で示す壁つなぎ支持部材の構成の一例を示す平面拡大図である。
【図５】図１で示す壁つなぎ支持部材の構成の一例を示す正面拡大図である。
【図６】壁つなぎ支持部材に壁つなぎ材を設置した際の様子の一例を示す図である。
【図７】壁つなぎ支持部材の他の構成の一例を示す正面拡大図である。
【図８】壁つなぎ支持部材の他の構成の一例を示す底面拡大図である。
【考案を実施するための形態】
【００１７】
＜実施形態１＞
本考案の第１の実施形態を、図１乃至図６を参照して説明する。図１は、壁つなぎ支持部材２の使用状態の一例を説明するための斜視図である。図２は、壁つなぎ支持部材２の構成の一例を示す平面図である。図３は、壁つなぎ支持部材２の構成の一例を示す正面図である。図４は、壁つなぎ支持部材２の構成の一例を示す平面拡大図である。図５は、壁つなぎ支持部材２の構成の一例を示す正面拡大図である。図６は、壁つなぎ支持部材２に壁つなぎ材３を設置した際の様子の一例を示す図である。図７は、壁つなぎ支持部材２の他の構成の一例を示す正面拡大図である。図８は、壁つなぎ支持部材２の他の構成の一例を示す底面拡大図である。
【００１８】
本考案の第１の実施形態では、図１で示すように、仮設足場１の支柱１１間に設置される壁つなぎ支持部材２について説明する。壁つなぎ支持部材２には、仮設足場１と建物の胴縁とを固定する壁つなぎ材３の仮設足場１側端部が設置される。後述するように、本実施形態における壁つなぎ支持部材２は、くさび２２１およびくさび２３１を用いて仮設足場１の支柱１１に固定される。つまり、壁つなぎ支持部材２は、挟持部２２が支柱１１を挟み込んだ状態で挟持部２２の開放端側に予め形成された貫通孔にくさび２２１を打ち込むことで、支柱１１に固定される。また、壁つなぎ支持部材２は、挟持部２３が支柱１１を挟み込んだ状態で挟持部２３の開放端側に予め形成された貫通孔にくさび２３１を打ち込むことで、支柱１１に固定される。このようにくさび２２１、２３１を用いて壁つなぎ支持部材２を仮設足場１に固定するよう構成することで、壁つなぎ支持部材２を容易に仮設足場１の支柱１１に設置することが可能となる。
【００１９】
また、本実施形態における壁つなぎ支持部材２の場合、挟持部２２は、軸部２４を中心に本体部２１に対して回転可能に軸支されている。このような構成により、壁つなぎ支持部材２を容易に仮設足場１に設置することが可能となる。換言すると、本実施形態における壁つなぎ支持部材２の場合、挟持部２２を回転させて、例えば挟持部２２と本体部２１とが直交するような状態で、挟持部２３の間に支柱１１を挿入する。その後、挟持部２２を回転させて挟持部２２と本体部２１とを同一の直線上に位置させることで、挟持部２２の間に支柱１１を挿入する。そして、挟持部２２にくさび２２１を打ち込むとともに、挟持部２３にくさび２３１を打ち込む。本実施形態における壁つなぎ支持部材２によると、例えば、このような動作により、容易に壁つなぎ支持部材２を仮設足場１の支柱１１間に設置することが出来る。
【００２０】
図１は、壁つなぎ支持部材２の使用状態の一例を示す斜視図である。図１を参照すると、壁つなぎ支持部材２は仮設足場１のうち建物側の支柱１１間に設置されている。
【００２１】
ここで、壁つなぎ支持部材２を設置する仮設足場１についてまず説明する。図１を参照すると、仮設足場１は、下端にジャッキ部が形成され、鉛直方向に延びる金属製の支柱１１を例えば４本（６本、８本、……。それ以上でも構わない）有している。４本の支柱１１のそれぞれは、例えば、平面視で長方形となる形状の各頂点に相当する位置に設置されている。
【００２２】
４本の支柱１１のうち平面視で短辺側となる２本の支柱１１は、所定の高さで金属製の横材１２（梁）により連結されている。換言すると、平面視で短辺側となる一対の支柱１１間には、それぞれの支柱１１に設けられたクランプ１４を用いて、当該一対の支柱１１間を連結する横材１２が設けられている。なお、横材１２は、例えば、仮設足場１を設置する地面と平行となるように、２本の支柱１１の間に設けられている。
【００２３】
また、２つの横材１２の間には、足場板１３が架け渡されている（連結配置されている）。足場板１３は、例えば、略長方形状の金属製の板材であり、平面視で長辺側となる２本の支柱１１の間の長さと同程度となる長辺方向の長さを有している。このように、支柱１１間を連結する横材１２間には、足場板１３が架け渡されている。
【００２４】
仮設足場１は、例えば上記のような構成を有している。
【００２５】
なお、上述した仮設足場１はあくまで例示である。本実施形態において説明する壁つなぎ支持部材２は、上述した仮設足場１以外の構成を有する仮設足場に設置しても構わない。例えば、壁つなぎ支持部材２を設置する仮設足場１は、上記例示した構成に加えて、図示しない筋交いや補強部材、手摺りなどを備えていても構わない。また、図１の場合、横材１２間に２本の足場板１３が架け渡されているが、横材１２間に架け渡される足場板１３の数は図１で示す場合に限定されない。
【００２６】
本実施形態における壁つなぎ支持部材２は、上述したような仮設足場１のうちの建物側の２本の支柱１１の間に設置される。換言すると、壁つなぎ支持部材２は、仮設足場１のうちの建物側の支柱１１間に足場板１３と並行に設置される、ということも出来る。
【００２７】
図２乃至図５は、壁つなぎ支持部材２の構成の一例を示している。図２を参照すると、壁つなぎ支持部材２は、直線状の本体部２１と、本体部２１のうちの一方の端部で回転可能に軸支された第１の挟持部である挟持部２２と、本体部２１のうちの他方の端部で溶接固定された第２の挟持部である挟持部２３と、から構成されている。また、壁つなぎ支持部材２は、挟持部２２のうちの開放端側に形成された貫通孔に打ち込まれる第１のくさびであるくさび２２１と、挟持部２３のうちの開放端側に形成された貫通孔に打ち込まれる第２のくさびであるくさび２３１と、を有している。
【００２８】
本体部２１は、図１乃至図３で示すように、例えば、円筒状の形状を有する金属製のパイプである。図１で示すように、本体部２１は、仮設足場１を構成する建物側の支柱１１間に設置される。本体部２１の長さは、例えば、仮設足場１を構成する建物側の支柱１１間の長さと同程度である。本体部２１を構成するパイプのうちの任意の箇所には、例えば、図１、図６で示すように、クランプ３１を用いて壁つなぎ材３が設置される。
【００２９】
挟持部２２は、支柱１１を挟み込むとともに、当該支柱１１を挟み込んだ状態でくさび２２１を打ち込まれることで、当該挟持部２２とくさび２２１とにより支柱１１を挟み込んで（囲って）壁つなぎ支持部材２を固定する金属製の部材である。図２、図３で示すように、挟持部２２のうちの一方の側（本体部２１側）は、本体部２１のうちの一方の端部に軸部２４により回転可能に軸支されており、挟持部２２のうちの他方の側には開放端が形成されている。
【００３０】
具体的には、挟持部２２は、例えば２つの挟持片を備えており、当該２つの挟持片により支柱１１を挟み込むよう構成されている。また、挟持部２２を構成する２つの挟持片のうち一方の挟持片は、平面視で所定箇所より開放端側の箇所がより外側に開いた構造となるように形成されている。つまり、挟持部２２は、一方の挟持片（例えば、最初にくさび２２１を挿入する側の挟持片）が平面視でより外側に開いた構造となるように形成された略Ｃ型の形状を有している。このように構成することで、より容易に支柱１１を挟み込むことが可能となる。
【００３１】
また、２つの挟持片のうち開放端側所定箇所には、略三角形状のくさび２２１を打ち込む貫通孔がそれぞれ形成されている。本実施形態における挟持部２２の場合、挟持部２２にくさび２２１を打ち込んで挟持部２２とくさび２２１とで支柱１１を囲むことで、壁つなぎ支持部材２を仮設足場１の支柱１１に固定する。このような構成を実現するため、本実施形態における挟持部２２は、２つの挟持片のうちの開放端側であって挟持部２２により挟み込む支柱１１の径に応じた箇所に、貫通孔が形成されている。挟み込む支柱１１の径に応じた箇所に貫通孔を形成することで、挟持部２２にくさび２２１を打ち込んだ際に、挟持部２２とくさび２２１とにより支柱１１を囲むことが可能となる。なお、挟持部２２にくさび２２１を打ち込んだ際、くさび２２１は例えば支柱１１と当接する。
【００３２】
なお、本実施形態においては、くさび２２１の幅及び厚さと貫通孔の幅及び厚さの関係については、特に限定しない。たとえば、くさび２２１は、三角形状の先端にいくほど幅が狭くなるよう形成されており、くさび２２１の幅が貫通孔の幅と同程度となるまでくさび２２１を挟持部２２に打ち込むよう構成されている。または、くさび２２１は三角形状の先端にいくほど幅が狭くなり、かつ、薄くなるよう形成されており、くさび２２１の厚みが貫通孔の厚さ方向の長さと同程度となるまでくさび２２１を挟持部２２に打ち込むよう構成しても構わない。くさび２２１を三角形状の先端にいくほど幅が狭くなり、かつ、薄くなるよう形成し、くさび２２１の幅及び厚みが貫通孔の幅及び厚さ方向の長さと同程度となるまでくさび２２１を挟持部２２に打ち込むよう構成しても構わない。
【００３３】
また、上述したように、挟持部２２は、円柱状の形状を有する本体部２１のうちの一方の端部に回転可能に軸支されている。具体的には、例えば図４、図５で示すように、挟持部２２は、円柱状の形状を有する本体部２１のうちの一方の端部で、例えばボルト２４１及びナット２４２により構成される軸部２４により本体部２１に対して回転可能に軸支されている。換言すると、挟持部２２は、軸部２４を中心として回転可能なよう本体部２１に軸支されている。このような構成のため、例えば図５（Ａ）に示すような挟持部２２と本体部２１とが同一の直線上に位置する状態から挟持部２２を回転させることで、例えば図５（Ｂ）で示すような、挟持部２２と本体部２１とが直交するような状態に遷移することが出来る。上述したように、図５（Ｂ）のような挟持部２２と本体部２１とが直交するような状態で挟持部２３の間に支柱１１を挿入した後、挟持部２２を回転させて挟持部２２と本体部２１とを同一の直線上に位置させることで、容易に壁つなぎ支持部材２を支柱１１の間に位置させることが出来る。
【００３４】
挟持部２３は、挟持部２２が挟み込む支柱１１とは異なる支柱１１を挟み込むとともに、当該支柱１１を挟み込んだ状態でくさび２３１を打ち込まれることで、当該挟持部２３とくさび２３１とにより支柱１１を挟み込んで（囲って）壁つなぎ支持部材２を固定する金属製の部材である。図２、図３で示すように、挟持部２３のうちの一方の側（本体部２１側）は、本体部２１のうちの挟持部２２を有する側とは反対側の端部に溶接固定されており、挟持部２２のうちの他方の側には開放端が形成されている。
【００３５】
具体的には、挟持部２３は、例えば２つの挟持片を備えており、当該２つの挟持片により支柱１１を挟み込むよう構成されている。また、挟持部２３を構成する２つの挟持片のうち一方の挟持片は、平面視で所定箇所より開放端側の箇所がより外側に開いた構造となるように形成されている。つまり、挟持部２３は、一方の挟持片（例えば、最初にくさび２３１を挿入する側の挟持片）が平面視でより外側に開いた構造となるように形成された略Ｃ型の形状を有している。このように構成することで、より容易に支柱１１を挟み込むことが可能となる。
【００３６】
また、２つの挟持片のうち開放端側所定箇所には、略三角形状のくさび２３１を打ち込む貫通孔がそれぞれ形成されている。実施形態における挟持部２３の場合、挟持部２３にくさび２３１を打ち込んで挟持部２３とくさび２３１とで支柱１１を囲むことで、壁つなぎ支持部材２を仮設足場１の支柱１１に固定する。このような構成を実現するため、本実施形態における挟持部２３は、２つの挟持片のうちの開放端側であって挟持部２３により挟み込む支柱１１の径に応じた箇所に、貫通孔が形成されている。挟み込む支柱１１の径に応じた箇所に貫通孔を形成することで、挟持部２３にくさび２３１を打ち込んだ際に、挟持部２３とくさび２３１とにより支柱１１を囲むことが可能となる。なお、挟持部２３にくさび２３１を打ち込んだ際、くさび２３１は例えば支柱１１と当接する。
【００３７】
以上のように、挟持部２３は挟持部２２と同様の形状を有している。なお、本実施形態においては、くさび２２１、挟持部２２の場合と同様に、くさび２３１の幅及び厚さと貫通孔の幅及び厚さの関係については、特に限定しない。たとえば、くさび２３１は、三角形状の先端にいくほど幅が狭くなるよう形成されており、くさび２３１の幅が貫通孔の幅と同程度となるまでくさび２３１を挟持部２３に打ち込むよう構成されている。または、くさび２３１は三角形状の先端にいくほど幅が狭くなり、かつ、薄くなるよう形成されており、くさび２３１の厚みが貫通孔の厚さ方向の長さと同程度となるまでくさび２３１を挟持部２３に打ち込むよう構成しても構わない。くさび２３１を三角形状の先端にいくほど幅が狭くなり、かつ、薄くなるよう形成し、くさび２３１の幅及び厚みが貫通孔の幅及び厚さ方向の長さと同程度となるまでくさび２３１を挟持部２３に打ち込むよう構成しても構わない。
【００３８】
また、上述したように、挟持部２３は、円柱状の形状を有する本体部２１のうちの挟持部２２を有する側とは反対側の端部に溶接固定されている。このように溶接固定されているため、挟持部２３は、挟持部２２とは異なり、本体部２１に対して回転しないことになる。なお、挟持部２３は、挟持部２２と同様に、本体部２１に対して回転可能に軸支されていても構わない。
【００３９】
以上が、壁つなぎ支持部材２の構成の一例である。以上のような壁つなぎ支持部材２を用いることで、図６で示すように、壁つなぎ材３を本体部２１上の任意の位置に設置することが可能となる。これにより、例えば、建物の胴縁が縦胴縁であった場合でも、建物の胴縁と仮設足場１の支柱１１との位置関係に依らずに、壁つなぎ材３を設置することが可能となる。つまり、本実施形態によると、壁つなぎ支持部材２のうちの本体部２１の任意の箇所にクランプ３１を用いて壁つなぎ材３を設置することが可能となる。また、本実施形態における壁つなぎ支持部材２は、くさび２２１及びくさび２３１を用いて固定しており、容易な方法で設置することが出来る。以上より、本実施形態によると、容易な方法で確実に壁つなぎ材３を設置することが可能となる。
【００４０】
なお、図２、図４で示すように、本実施形態におけるくさび２２１及びくさび２３１のうちの三角形状の先端部分には、凸部２２２、２３２が形成されている。くさび２２１の先端に凸部２２２を形成することで、くさび２２１を挟持部２２に打ち込んだ状態でくさび２２１が挟持部２２から抜け落ちることを抑制することが出来る。同様に、くさび２３１の先端に凸部２３２を形成することで、くさび２３１を挟持部２３に打ち込んだ状態でくさび２３１が挟持部２３から抜け落ちることを抑制することが出来る。
【００４１】
また、壁つなぎ支持部材２の構成は、上記例示した場合に限定されない。例えば、図７、図８で示すように、壁つなぎ支持部材２のうちの底面側にはストッパー２５を設けることが出来る。具体的には、例えば図７、図８で示すように、ストッパー２５は、本体部２１のうちの挟持部２２側端部下方に溶接されている。ストッパー２５は、挟持部２２の下方側と当接することで、回転自在に軸支された挟持部２２が下方側へ回転することを防止する。換言すると、壁つなぎ支持部材２は、挟持部２２が下方へ回転することを防止するストッパー２５を有することが出来る。このようなストッパー２５を壁つなぎ支持部材２が有することで、挟持部２２にくさび２２１を打ち込む際に挟持部２２が下方へ回転してしまうことを防ぐことが出来る。その結果、より容易に挟持部２２にくさび２２１を打ち込むことが可能となり、より容易に壁つなぎ支持部材２を支柱１１に取り付けることが可能となる。
【００４２】
以上、上記各実施形態を参照して本願考案を説明したが、本願考案は、上述した実施形態に限定されるものではない。本願考案の構成や詳細には、本願考案の範囲内で当業者が理解しうる様々な変更をすることが出来る。
【符号の説明】
【００４３】
１  仮設足場
１１  支柱
１２  横材
１３  足場板
１４  クランプ
２  壁つなぎ支持部材
２１  本体部
２２  挟持部
２２１  くさび
２２２  凸部
２３  挟持部
２３１  くさび
２３２  凸部
２４  軸部
２４１  ボルト
２４２  ナット
２５  ストッパー
３  壁つなぎ材
３１  クランプ
【図１】
0003211768.tif 000003
【図２】
0003211768.tif 000004
【図３】
0003211768.tif 000005
【図４】
0003211768.tif 000006
【図５】
0003211768.tif 000007
【図６】
0003211768.tif 000008
【図７】
0003211768.tif 000009
【図８】
0003211768.tif 000010